(57)【要約】【課題】鳥害の被害を抑制可能な播種を行う種籾直播装置を提供すること。【解決手段】田面上に接地しながら回転して田面に播種穴を成形する播種穴成形体と、播種穴成形体の回転動作に連動して回転するとともに、播種用開口部を有する筒状の播種シャッタ体と、播種シャッタ体内に配置するとともに、内部に収容した種籾を播種する播種孔を有する播種タンクと、を具備し、播種シャッタ体の播種用開口部と播種タンクの播種孔が整合した際に、播種孔及び播種用開口部を通して播種された種籾が、田面の播種穴中に投入されるようにした。【選択図】図１
2015216915.tif 000002
【特許請求の範囲】
【請求項１】
田面上に接地しながら回転して田面に播種穴を成形する播種穴成形体と、
播種穴成形体の回転動作に連動して回転するとともに、播種用開口部を有する筒状の播種シャッタ体と、
播種シャッタ体内に配置するとともに、内部に収容した種籾を播種する播種孔を有する播種タンクと、
を具備し、
播種シャッタ体の播種用開口部と播種タンクの播種孔が整合した際に、播種孔及び播種用開口部を通して播種された種籾が、田面の播種穴中に投入されるようにしたことを特徴とする種籾直播装置。
【請求項２】
播種穴成形体は、左右方向に軸線を向けた円筒状の成形体本体の外周面に、円錐状の凸部を複数突設して形成し、田面上に接地しながら回転して凸部により田面に播種穴を進行方向に間隔をあけて成形するようにしたことを特徴とする請求項１記載の種籾直播装置。
【請求項３】
播種シャッタ体は、左右方向に軸線を向けた円筒状に形成するとともに、左右方向に軸線を向けた円筒状の播種穴成形体と平行に対向する状態かつ非接地状態に配置し、播種穴成形体に連動機構を介して連動連結したことを特徴とする請求項１又は２記載の種籾直播装置。
【請求項４】
播種タンクは、下部にホッパ部を形成するとともに、ホッパ部の下端部に播種孔を形成して、播種タンク内に収容している種籾がホッパ部を通して播種孔に向けて流下するようにしたことを特徴とする請求項１〜３のいずれか１項記載の種籾直播装置。
【請求項５】
連動機構には、播種穴成形体の回転動作と、それに連動して回転する播種シャッタ体の回転動作を調整するための調整手段を設けるとともに、
調整手段により、田面に播種穴が成形されるタイミングと、整合された播種孔及び播種用開口部を通して種籾が播種されるタイミングを調整するようにしたことを特徴とする請求項１〜４のいずれか１項記載の種籾直播装置。
【発明の詳細な説明】
【技術分野】
【０００１】
本発明は、種籾を直播する種籾直播装置に関する。
【背景技術】
【０００２】
従来、種籾直播装置の一形態として、特許文献１に開示されたものがある。すなわち、特許文献１には、一輪車の車軸を左右側方に延出させて、左右の延出部にそれぞれ種籾を収容するためのドラム式の種籾収容ケースを取り付け、各種籾収容ケースの周縁部に多数の種播孔を周方向に間隔をあけて開口して、一輪車の回転走行に連動させて種籾収容ケースを回転させながら、種播孔から種籾を田面に落下させて播種するように構成した種籾直播装置が開示されている。
【先行技術文献】
【特許文献】
【０００３】
【特許文献１】実開平３−１１４９０８
【発明の概要】
【発明が解決しようとする課題】
【０００４】
ところが、上記した種籾直播装置では、平坦な田面の表面に種籾が直接播種されるため、播種された種籾を鳥が啄む等の鳥害を受けていた。
【０００５】
そこで、本発明は、鳥害の被害を抑制可能な播種を行う種籾直播装置を提供することを目的とする。
【課題を解決するための手段】
【０００６】
請求項１記載の発明は、田面上に接地しながら回転して田面に播種穴を成形する播種穴成形体と、
播種穴成形体の回転動作に連動して回転するとともに、播種用開口部を有する筒状の播種シャッタ体と、
播種シャッタ体内に配置するとともに、内部に収容した種籾を播種する播種孔を有する播種タンクと、
を具備し、
播種シャッタ体の播種用開口部と播種タンクの播種孔が整合した際に、播種孔及び播種用開口部を通して播種された種籾が、田面の播種穴中に投入されるようにしたことを特徴とする。
【０００７】
請求項１記載の発明では、播種孔及び播種用開口部を通して種籾を一定間隔毎に一粒または数粒ずつ播種、いわゆる、点播することができる。そのため、一粒の発芽率を向上させることができるとともに、種籾の使用量を最少化することができる。したがって、機体の小型化、軽量化、及び廉価化を図ることができる。播種された種籾は、田面の播種穴中に投入されるため、播種穴中の種籾を鳥が啄み難くなり、鳥害の被害を抑制できるとともに、種籾を鉄コーティングしなくても、種籾が播種穴中に安定配置されて、雨水や風等により移動されることがない。そのため、鉄コーティングの費用を削減できる。そして、稲の育成後の根張りが深くなり、倒伏に強くなる。また、播種された種籾に覆土する必要性もない。そのため、種籾の発芽率が高くなる。
【０００８】
請求項２記載の発明は、請求項１記載の発明であって、播種穴成形体は、左右方向に軸線を向けた円筒状の成形体本体の外周面に、円錐状の凸部を複数突設して形成し、田面上に接地しながら回転して凸部により田面に播種穴を進行方向に間隔をあけて成形するようにしたことを特徴とする。
【０００９】
請求項２記載の発明では、円錐状の凸部により田面にすり鉢状の播種穴を成形することができる。そのため、播種穴中に種籾を堅実に播種することができるとともに、播種された播種穴中の種籾は安定状態に配置される。反面、播種された播種穴中の種籾は、鳥にとって啄み難い。したがって、種籾の発芽率や成育率を向上させることができる。
【００１０】
請求項３記載の発明は、請求項１又は２記載の発明であって、播種シャッタ体は、左右方向に軸線を向けた円筒状に形成するとともに、左右方向に軸線を向けた円筒状の播種穴成形体と平行に対向する状態かつ非接地状態に配置し、播種穴成形体に連動機構を介して連動連結したことを特徴とする。
【００１１】
請求項３記載の発明では、播種用開口部を有する播種シャッタ体を、非接地状態に配置しているため、播種用開口部に泥土等が目詰まりするのを防止できる。そのため、播種効率を良好に確保できる。
【００１２】
請求項４記載の発明は、請求項１〜３のいずれか１項記載の発明であって、播種タンクは、下部にホッパ部を形成するとともに、ホッパ部の下端部に播種孔を形成して、播種タンク内に収容している種籾がホッパ部を通して播種孔に向けて流下するようにしたことを特徴とする。
【００１３】
請求項４記載の発明では、播種タンクの下部にホッパ部を形成するとともに、ホッパ部の下端部に播種孔を形成しているため、播種タンク内に収容している種籾を、ホッパ部を通して播種孔に向けて円滑に流下させることができる。この際、ホッパ部の傾斜を種籾の安息角より大きく設定することで、種籾を完全に流出させることができる。つまり、種籾の流動性が高くして、播種効率を良好に確保することができる。
【００１４】
請求項５記載の発明は、請求項１〜４のいずれか１項記載の発明であって、連動機構には、播種穴成形体の回転動作と、それに連動して回転する播種シャッタ体の回転動作を調整するための調整手段を設けるとともに、
調整手段により、田面に播種穴が成形されるタイミングと、整合された播種孔及び播種用開口部を通して種籾が播種されるタイミングを調整するようにしたことを特徴とする。
【００１５】
請求項５記載の発明では、調整手段により、田面に播種穴が成形されるタイミングと、整合された播種孔及び播種用開口部を通して種籾が播種されるタイミングを調整するようにしているため、田面に成形された播種穴中に、播種された種籾を堅実に投入できる。そのため、播種効率の向上や鳥害の被害の抑制を図ることができる。
【発明の効果】
【００１６】
本発明によれば、鳥害の被害を抑制可能な播種を行う種籾直播装置を提供することができる。
【図面の簡単な説明】
【００１７】
【図１】本実施形態に係る種籾直播装置の使用状態説明図。
【図２】種籾直播装置の側面説明図。
【図３】種籾直播装置の平面図。
【図４】播種タンク及び播種シャッタ体の断面側面説明図。
【図５】変形例としての種籾直播装置の一部切欠側面説明図。
【発明を実施するための形態】
【００１８】
以下に、本発明に係る実施形態について図面を参照しながら説明する。すなわち、図１〜図３に示す１０は、本実施形態に係る種籾直播装置である。種籾直播装置１０は、図１に示すように、牽引車５０の後方に昇降連結機構８０を介して連結して、牽引車５０に牽引されながら田面Ｇに種籾Ｔを播種するようにしている。まず、牽引車５０と昇降連結機構８０についてこの順で概略的に説明し、その後に、種籾直播装置１０について詳細に説明する。
【００１９】
［牽引車の説明］
牽引車５０は、図１に示すように、機体フレーム５１の前部にフロントアクスルケース５２を設ける一方、後部にリヤアクスルケース５３を設けている。フロントアクスルケース５２には、前車軸５５,５５を介して左右一対の前輪５４,５４を取り付けている。リヤアクスルケース５３には、後車軸５７,５７を介して左右一対の後輪５６,５６を取り付けている。機体フレーム５１上には床面形成体６０を張設し、床面形成体６０の前部に原動機部としてのエンジン６１等を設けており、エンジン６１には、ミッション６２を介して前・後輪５４,５６を連動連結している。エンジン６１はボンネット６３により被覆しており、ボンネット６３の上端部にはハンドル支軸６４を介してハンドル６５を取り付けている。床面形成体６０の後部には、座席支持部７０を一体的に形成し、座席支持部７０上に座席７１を載置している。７２は、リヤアクスルケース５３上に立設して、床面形成体６０の後端部を支持する支持枠体である。
【００２０】
［昇降連結機構の説明］
昇降連結機構８０は、図１に示すように、昇降リンク８１と、昇降リンク８１を昇降させる昇降シリンダ８２とを具備している。昇降リンク８１は、前後方向に延伸するトップリンク８３及び左右一対のロワリンク８４,８４とから形成している。トップリンク８３は、支持枠体７２の上部に第１枢支ピン８５を介して前端部を枢支連結する一方、連結枠体８６の上部に第２枢支ピン８７を介して後端部を枢支連結している。ロワリンク８４,８４は、リヤアクスルケース５３に第３枢支ピン８８を介して前端部を枢支連結する一方、連結枠体８６の下部に後端部を連結している。ロワリンク８４,８４の前部には昇降アーム８９を立設し、昇降アーム８９の上端部と、機体フレーム５１の後部との間に、昇降シリンダ８２を介設して、昇降シリンダ８２の伸縮作動に連動して昇降リンク８１が昇降作動するようにしている。９０は昇降アーム８９の上端部と連結枠体８６の下部との間に介設した連結片である。
【００２１】
［種籾直播装置の説明］
種籾直播装置１０は、図１〜図４に示すように、昇降連結機構８０の連結枠体８６に着脱自在に取り付けた支持体１１と、支持体１１に支持されて、田面Ｇ上に接地しながら回転して田面Ｇに播種穴Ｈを成形する播種穴成形体１２と、播種穴成形体１２の回転動作に連動して回転するとともに、播種用開口部１４を有する筒状の播種シャッタ体１３と、播種シャッタ体１３内に配置するとともに、内部に収容した種籾Ｔを播種する播種孔１６を有する播種タンク１５と、を具備している。そして、播種シャッタ体１３の播種用開口部１４と播種タンク１５の播種孔１６が整合した際に、播種孔１６及び播種用開口部１４を通して播種された種籾Ｔが、田面Ｇの播種穴Ｈ中に投入されるようにしている。
【００２２】
支持体１１は、連結枠体８６に、左右方向に延伸する横長板状に形成した前支持片２０の前面を対面させて取り付け、前支持片２０の左右側端縁部から後方へ向けて左・右側支持片２１,２１を延伸させて、左・右側支持片２１,２１を左右に平行する横長板状に形成している。左・右側支持片２１,２１の前部には、左・右側垂下支持片２２,２２を垂下しており、左・右側支持片２１,２１の前部に前後方向に横長の前後一対の調整孔２３,２３を形成し、調整孔２３,２３中には、左・右側垂下支持片２２,２２の上部から外側方へ向けて突出させた調整ボルト２４,２４を挿通して、各調整ボルト２４,２４の先端部に抓み付きナット２５,２５を螺着して後述する調整手段４５を構成している。
そして、調整手段４５は、抓み付きナット２５,２５を弛めることで、調整孔２３,２３に沿って左・右側垂下支持片２２,２２を前後方向に摺動位置調整し、その後に抓み付きナット２５,２５を締め付けることで、左・右側垂下支持片２２,２２の位置調整、つまり、左・右側垂下支持片２２,２２に支持された播種穴成形体１２の位置調整、延いては、後述する播種タイミングの調整ができるようにしている。
【００２３】
播種穴成形体１２は、左右方向に軸線を向けた円筒状の成形体本体３０と、成形体本体３０の左右側端を閉塞する円板状の左・右側端壁３１,３１と、左・右側端壁３１,３１の中央部から外側方へ突設した回転支軸３２,３２と、成形体本体３０の外周面に複数突設して形成した円錐状の凸部３３とから形成している。凸部３３は、本実施形態では、成形体本体３０の同一円周上に８個を円周方向に一定の間隔をあけて１組突設するとともに、成形体本体３０の軸線方向に一定の間隔をあけて５組突設している。このように形成した播種穴成形体１２は、左・右側垂下支持片２２,２２の下部にそれぞれ設けられたボス部２６,２６中に、回転支軸３２,３２を回転自在に挿通して軸架している。
そして、田面Ｇ上に成形体本体３０の外周面を接地させた状態で牽引すると、田面Ｇに凸部３３がスパイクのように噛み込まれることで、成形体本体３０が堅実に回転されるとともに、凸部３３により田面Ｇに播種穴Ｈを進行方向に一定の間隔をあけて成形されるようにしている。ここで、播種穴Ｈは、播種穴Ｈ中に播種された種籾Ｔが鳥に啄まれないような深さ、例えば、３〜５ｃｍに成形されるように、凸部３３の突出幅を設定している。
【００２４】
播種タンク１５は、下部にホッパ部３６を形成するとともに、ホッパ部３６の下端部に播種孔１６を形成して、播種タンク１５内に収容している種籾Ｔがホッパ部３６を通して播種孔１６に向けて流下するようにしている。
【００２５】
すなわち、播種タンク１５は、上半部の天井部３５と下半部のホッパ部３６と左・右側端部３７,３７とから、内部に種籾Ｔを収容可能な中空箱形に形成している。上半部の天井部３５は、左右方向に軸線を向けた上方へ凸状の半円筒状に形成している。下半部のホッパ部３６は、天井部３５の前端縁部から後下方へ向けて延設して形成した前側傾斜面部３６ａと、天井部３５の後端縁部から前下方へ向けて延設して形成した後側傾斜面部３６ｂと、前側傾斜面部３６ａ及び後側傾斜面部３６ｂの下端縁部間に形成した細幅帯状の下端水平面部３６ｃとから形成している。左・右側端部３７,３７は、天井部３５とホッパ部３６の左・右側端開口部を閉塞している。下端水平面部３６ｃには、複数（本実施形態では５個）の播種孔１６を小円形に形成するとともに、左右方向に一定の間隔をあけて形成して、凸部３３の配設位置と整合させている。つまり、播種孔１６から播種される種籾Ｔが、凸部３３により成形された播種穴Ｈ中に投入されるようにしている。左・右側端部３７,３７の外側面中央部には外方へ向けて取付軸３９,３９を突設して、取付軸３９,３９を介して左・右側支持片２１,２１の後部に固定状態に横架している。
【００２６】
そして、播種タンク１５は、播種穴成形体１２の後上方に配置されるとともに、播種穴成形体１２と平行に対向する状態に配置されている。４０は、天井部３５の左側部に設けた開閉蓋であり、開閉蓋４０を開放することで、内部に種籾Ｔを出し入れ可能としている。θ１は前側傾斜面部３６ａと仮想水平面Ｈｓとがなす傾斜角、θ２は後側傾斜面部３６ｂと仮想水平面Ｈｓとがなす傾斜角であり、傾斜角θ１,θ２は、種籾Ｔの安息角より大きく設定している。
【００２７】
播種シャッタ体１３は、左右方向に軸線を向けた円筒状に形成するとともに、左右方向に軸線を向けた円筒状の播種穴成形体１２と平行に対向する状態かつ非接地状態に配置し、播種穴成形体１２に連動機構４３を介して連動連結している。
【００２８】
すなわち、播種シャッタ体１３は、円筒状の内径を播種タンク１５の外径と略同一となして、播種タンク１５の外周面上にてその軸線廻りに回転自在に外嵌している。その結果、播種シャッタ体１３は、播種穴成形体１２の後上方に配置されて、田面Ｇから一定高さだけ離隔して配置されている。４１は天井部３５の左右側部に突設したローラ支軸、４２は各ローラ支軸４１に回転自在に外嵌したガイドローラである。播種シャッタ体１３は、左右のガイドローラ４２,４２で左右側方を規制されながら播種タンク１５の外周面上を円滑に回転するようにしている。
播種シャッタ体１３には、播種孔１６と同形状に形成した複数の播種用開口部１４を形成している。本実施形態の播種用開口部１４は、凸部３３と同様に、播種シャッタ体１３の同一円周上に８個を円周方向に一定の間隔をあけて１組突設するとともに、播種シャッタ体１３の軸線方向に一定の間隔をあけて５組突設している。つまり、播種孔１６から播種される種籾Ｔが、播種孔１６と符合した播種用開口部１４を通して、凸部３３により成形された播種穴Ｈ中に投入されるようにしている。
【００２９】
連動機構４３は、播種穴成形体１２の成形体本体３０の左側外周面と、播種シャッタ体１３の左側外周面との間に、タイミングベルト等の細幅無端帯状の伝動ベルト４４を巻回して、播種穴成形体１２の回転動作に、伝動ベルト４４を介して播種シャッタ体１３が連動して回転するように構成している。なお、伝動ベルト４４として、例えば、タイミングベルトを採用する場合には、成形体本体３０の左側外周面と、播種シャッタ体１３の左側外周面に、それぞれタイミングベルトの内周面に形成されている係合凹部と係合する係合凸部を形成する。また、チェーンを採用する場合には、成形体本体３０の左側外周面と、播種シャッタ体１３の左側外周面に、それぞれチェーンと係合するスプロケットを設ける。
【００３０】
すなわち、連動機構４３は、左側垂下支持片２２の後中途部から内側方（右側方）へ向けてアーム支軸４６を突設し、アーム支軸４６の先端部（右側端部）に前後方向に延伸するテンションアーム４７の基端部（前端部）を回転自在に枢支し、テンションアーム４７の先端部（後端部）に左右方向に軸線を向けたローラ枢支ピン４９を介してテンションローラ４８を回転自在に取り付けている。左側支持片２１の中途部から内側方（右側方）へ向けて上側スプリング支持ピン９２を突設する一方、テンションアーム４７の中途部から外側方（左側方）に突設した下側スプリング支持ピン９３を突設して、上側スプリング支持ピン９２の先端部（右側端部）と下側スプリング支持ピン９３の先端部（左側端部）との間に引っ張りスプリング９４を介設している。
そして、引っ張りスプリング９４の引っ張り弾性付勢力により、伝動ベルト４４の外周面にテンションアーム４７を介してテンションローラ４８を圧接させて、伝動ベルト４４を緊張状態に保持させている。Ｘは播種穴成形体１２の回転方向、Ｙは播種シャッタ体１３の回転方向である。
【００３１】
連動機構４３には、播種穴成形体１２の回転動作と、それに連動して回転する播種シャッタ体１３の回転動作を調整するための調整手段４５を設けるとともに、調整手段４５により、田面Ｇに播種穴Ｈが成形されるタイミングと、整合された播種孔１６及び播種用開口部１４を通して種籾Ｔが播種されるタイミングを調整するようにしている。
【００３２】
すなわち、調整手段４５は、前記したように左・右側垂下支持片２２,２２を前後方向に位置調整可能に構成しており、調整手段４５により左・右側垂下支持片２２,２２を位置調整することで、播種穴成形体１２の軸線と播種シャッタ体１３の軸線との間の距離である軸線間距離Ｌを調整、つまり、田面Ｇに成形される播種穴Ｈの位置と、播種孔１６及び播種用開口部１４を通して種籾Ｔが播種される位置との間隔を調整することができる。その結果、田面Ｇに播種穴Ｈが成形されるタイミングと、整合された播種孔１６及び播種用開口部１４を通して種籾Ｔが播種されるタイミングを調整して、播種された種籾Ｔが播種穴Ｈ中に堅実に投入されるようにすることができる。
【００３３】
このように構成して、播種孔１６及び播種用開口部１４を通して種籾Ｔを一定間隔毎に一粒または数粒ずつ播種する、いわゆる、点播することができる。そのため、一粒の発芽率を向上させることができるとともに、種籾Ｔの使用量を最少化することができる。したがって、機体の小型化、軽量化、及び廉価化を図ることができる。播種された種籾Ｔは、田面Ｇの播種穴Ｈ中に投入されるため、播種穴Ｈ中の種籾Ｔを鳥が啄み難くなり、鳥害の被害を抑制できるとともに、種籾Ｔを鉄コーティングしなくても、種籾Ｔが播種穴Ｈ中に安定配置されて、雨水や風等により移動されることがない。そのため、鉄コーティングの費用を削減できる。そして、稲の育成後の根張りが深くなり、倒伏に強くなる。また、播種された種籾Ｔに覆土する必要性もない。そのため、種籾Ｔの発芽率が高くなる。
【００３４】
そして、円錐状の凸部３３により田面Ｇにすり鉢状の播種穴Ｈを成形することができる。そのため、播種穴Ｈ中に種籾Ｔを堅実に播種することができるとともに、播種された播種穴Ｈ中の種籾Ｔは安定状態に配置される。反面、播種された播種穴Ｈ中の種籾Ｔは、鳥にとって啄み難い。したがって、種籾Ｔの発芽率や成育率を向上させることができる。
【００３５】
しかも、播種用開口部１４を有する播種シャッタ体１３を、非接地状態に配置しているため、播種用開口部１４に泥土等が目詰まりするのを防止できる。そのため、播種効率を良好に確保できる。
【００３６】
さらには、播種タンク１５の下部にホッパ部３６を形成するとともに、ホッパ部３６の下端部に播種孔Ｈを形成しているため、播種タンク１５内に収容している種籾Ｔを、ホッパ部３６を通して播種孔Ｈに向けて円滑に流下させることができる。この際、ホッパ部３６の前側傾斜面部３６ａと後側傾斜面部３６ｂの傾斜角θ１,θ２は、それぞれ種籾Ｔの安息角より大きく設定することで、種籾Ｔを完全に流出させることができる。つまり、種籾Ｔの流動性が高くして、播種効率を良好に確保することができる。
【００３７】
また、田面Ｇに播種穴Ｈが成形されるタイミングと、整合された播種孔１６及び播種用開口部１４を通して種籾Ｔが播種されるタイミングを、調整手段４５により調整するようにしているため、田面Ｇに成形された播種穴Ｈ中に、播種された種籾Ｔを堅実に投入できる。そのため、播種効率の向上や鳥害の被害の抑制を図ることができる。
【００３８】
［変形例としての種籾直播装置の説明］
図５は、変形例としての種籾直播装置１０の一部切欠側面説明図であり、前記した種籾直播装置１０と基本的構造を同じくしているが、播種用開口部１４に短幅筒状の播種ガイド体９５を取り付けて、一時的閉塞体９６により播種ガイド体９５を一時的に下方から閉塞するようにしている点で異なる。
【００３９】
すなわち、播種ガイド体９５は、短幅筒状に形成して、内部に一定量の種籾Ｔを収容可能な空間Ｓを保持しており、基端側外周面に雄ネジ部９７を形成している。各播種用開口部１４の内周面には雄ネジ部９７と螺着する雌ネジ部９８を形成している。そして、各播種用開口部１４の雌ネジ部９８にそれぞれ雄ネジ部９７を螺着して、播種シャッタ体１３に播種ガイド体９５を外方へ突出状に取り付けている。
【００４０】
左・右側支持片２１,２１の中途部間には、左右方向に延伸する支持用横架片９９を横架し、支持用横架片９９に板バネを四分の一円弧状の形成した一時的閉塞体９６の基端縁部（前端縁部）９６ａを取り付けるとともに、一時的閉塞体９６の先端縁部（後端縁部）９６ｂを播種シャッタ体１３の直下方位置まで延設している。本変形例では、ホッパ部３６の下端水平面部３６ｃを鉛直下方位置からやや前方に偏倚させている。
そして、偏倚した下端水平面部３６ｃの播種孔１６の先端部（下端部）は、播種用開口部１４及びその播種用開口部１４に取り付けた播種ガイド体９５と符合するとともに、一時的閉塞体９６の先端縁部（後端縁部）９６ｂが播種ガイド体９５の先端部に下方から閉塞する方向に弾性付勢して、播種ガイド体９５の先端部を閉塞する。その後、播種ガイド体９５の先端縁部が直下方を指向する位置まで回転移動されると、播種ガイド体９５の先端縁部は、一時的閉塞体９６の先端縁部（後端縁部）９６ｂから離隔して、一時的閉塞体９６の先端縁部（後端縁部）９６ｂにより下方から閉塞されることがないため、鉛直下方へ向けて開放される。
【００４１】
そのため、一時的閉塞体９６の先端縁部（後端縁部）９６ｂが、播種ガイド体９５の先端部（下端部）を下方から閉塞している間は、播種ガイド体９５内に種籾Ｔが一時的に一定量だけ貯留され、その後に播種ガイド体９５の先端部（下端部）が開放されると、播種ガイド体９５内に収容されている一定量の種籾Ｔが、下方へ播種される。したがって、播種孔１６と播種用開口部１４が符合すると、直ちに播種孔１６及び播種用開口部１４を通して種籾Ｔが播種される場合に比して、種籾Ｔの播種量を一定に確保することができる。その結果、播種効率を向上させることができる。
【００４２】
なお、本実施形態では、種籾直播装置１０を牽引車５０に連結して、牽引車５０により牽引するようにしているが、種籾直播装置１０を手押し車等に連結して、人力で種籾直播装置１０を手押し、ないしは牽引しながら種籾直播装置１０により播種することもできる。
【符号の説明】
【００４３】
Ｇ  田面
Ｈ  播種穴
Ｔ  種籾
１０  種籾直播装置
１１  支持体
１２  播種穴成形体
１３  播種シャッタ体
１４  播種用開口部
１５  播種タンク
１６  播種孔
【図１】
2015216915.tif 000003
【図２】
2015216915.tif 000004
【図３】
2015216915.tif 000005
【図４】
2015216915.tif 000006
【図５】
2015216915.tif 000007